(57)【要約】フィルター掃除モジュール（１００）及び空気処理装置（１０００）であって、フィルター掃除モジュール（１００）は、掃除ボックス（１）と、ローラーアセンブリ（６）と、掃除ボックス上のローラー駆動ギア（２０３）とを備える。掃除ボックスは掃除キャビティ（１０１）を有する。ローラーアセンブリは、掃除ボックスの対向する両側の壁に転動可能に接続され、ローラーアセンブリは、ローラー内軸（６３）と、フィルター（４００）と接触してフィルターの移動を駆動するためのローラー外筒（６２）とを備え、ローラーアセンブリは、ローラー内軸に外嵌され、ローラーアセンブリとローラー内軸との間に回転制限構造（６４）が設けられる。ローラー駆動ギアはローラーアセンブリに接続される。【選択図】図３
2021511473.tif 000002
【特許請求の範囲】
【請求項１】
掃除キャビティを有する掃除ボックスと、
前記掃除ボックスの対向する両側の壁の間に転動可能に接続されるローラーアセンブリであって、ローラー内軸と、ローラー外筒とを備え、前記ローラー外筒が前記ローラー内軸に外嵌され、前記ローラー外筒と前記ローラー内軸との間に回転制限構造が設けられ、前記ローラー外筒がフィルターと接触して前記フィルターを連動させるローラーアセンブリと、
前記掃除ボックスに設けられ、前記ローラーアセンブリに接続されるローラー駆動ギアと、を備える、
ことを特徴とするフィルター掃除モジュール。
【請求項２】
前記ローラー内軸の外周壁には、回転制限溝が設けられ、
前記ローラー外筒の内周壁には、回転制限突起が設けられ、
前記回転制限突起は前記回転制限溝に挿入して結合される、
ことを特徴とする請求項１に記載のフィルター掃除モジュール。
【請求項３】
前記ローラー内軸は、中空の円筒状に形成され、
前記ローラー内軸の周壁の一部は内側に凹んで前記回転制限溝を形成する、
ことを特徴とする請求項２に記載のフィルター掃除モジュール。
【請求項４】
前記回転制限溝は、前記ローラー内軸の軸方向に延びており、
前記回転制限溝は、前記ローラー内軸の軸方向の両端に開放して設けられる、
ことを特徴とする請求項２又は３に記載のフィルター掃除モジュール。
【請求項５】
前記ローラー外筒は、両端が開放された円筒状である、
ことを特徴とする請求項１〜４のいずれか一項に記載のフィルター掃除モジュール。
【請求項６】
前記ローラー外筒は全体が、可撓性部材である、
ことを特徴とする請求項１〜５のいずれか一項に記載のフィルター掃除モジュール。
【請求項７】
前記ローラー外筒には、複数の可撓性ローラーエッジが設けられる、
ことを特徴とする請求項１〜６のいずれか一項に記載のフィルター掃除モジュール。
【請求項８】
前記ローラーアセンブリはフィルター駆動ギアをさらに備え、
前記フィルター駆動ギアは前記ローラー内軸の端部に接続され、フィルターと噛み合って前記フィルターを連動させる、
ことを特徴とする請求項２〜４のいずれか一項に記載のフィルター掃除モジュール。
【請求項９】
前記フィルター駆動ギアは、２つであり、
２つの前記フィルター駆動ギアは、前記ローラー内軸の軸方向の両端にそれぞれ取り外し可能に接続される、
ことを特徴とする請求項８に記載のフィルター掃除モジュール。
【請求項１０】
前記ローラー外筒に複数の可撓性ローラーエッジが設けられる場合、前記可撓性ローラーエッジは前記ローラーアセンブリの軸方向に延びて設けられ、前記可撓性ローラーエッジは、前記フィルター駆動ギアの歯と一対一に対応して設けられる、
ことを特徴とする請求項８又は９に記載のフィルター掃除モジュール。
【請求項１１】
前記ローラー内軸の内周壁における前記回転制限溝が形成された部分は、内側突起であり、
前記フィルター駆動ギアには、前記ローラー内軸に挿入される挿着部が設けられ、
前記挿着部は前記内側突起に係止される、
ことを特徴とする請求項８〜１０のいずれか一項に記載のフィルター掃除モジュール。
【請求項１２】
前記掃除ボックスには入水口が設けられ、
前記掃除ボックスの底部には、前記掃除キャビティと連通する出水口が設けられる、
ことを特徴とする請求項１〜１１のいずれか一項に記載のフィルター掃除モジュール。
【請求項１３】
請求項１〜１２のいずれか一項に記載のフィルター掃除モジュールを備える、
ことを特徴とする空気処理装置。
【請求項１４】
前記空気処理装置は、空気調和機の室内機であり、
前記フィルター掃除モジュールは、前記空気調和機の室内機のベースに接続され、且つ前記フィルター掃除モジュールは、前記空気調和機の室内機の水受け皿の上に位置する、
ことを特徴とする請求項１３に記載の空気処理装置。
【発明の詳細な説明】
【関連出願の相互参照】
【０００１】
本出願は、出願番号が２０１８２２００７２９８．５、出願日が２０１８年１１月３０日の中国特許出願「フィルター掃除モジュール及び空気処理装置」及び出願番号が２０１８２２００９１６７．０、出願日が２０１８年１１月３０日の中国特許出願「フィルター水洗いモジュール及び空気処理装置」に基づいて提供され、上記中国特許出願の優先権を主張し、それらの全内容が引用により本出願に組み込まれる。
【技術分野】
【０００２】
本出願は、家電製品の技術分野に属し、具体的には、フィルター掃除モジュール及び空気処理装置である。
【背景技術】
【０００３】
空気調和機では、吸込口又は吹出口にフィルターを設置して濾過を行うことが多い。長期間使用すると、フィルターに塵埃がたまりやすくなり、フィルターを手動で取り外して手動で洗浄すれば、時間と労力がかかり、フィルターアセンブリを傷つけやすい。
【０００４】
そのため、フィルター自動掃除アセンブリが設けられた空気調和器が増えてきている。ブラシを転動させてフィルターの表面を掃除するものもあれば、溶液をシャワーしてフィルターの表面を掃除するものもある。しかしながら、掃除時、フィルターの伝送中に、異音が発生しやすく、フィルターが動いて設計された洗浄経路から外れやすいことで、フィルター掃除効果が低くなる。また、伝動アセンブリの構造が不安定であり、伝動効果が低いという問題もある。
【発明の概要】
【０００５】
本出願の目的は、少なくとも関連技術における技術的課題の１つをある程度まで解決することである。
【０００６】
そのため、本出願の１つの目的は、フィルターの移動を安定して駆動して掃除作業を行うことができ、回転時にローラーアセンブリが安定したフィルター掃除モジュールを提供することである。
【０００７】
本出願の別の目的は、上記フィルター掃除モジュールを備える空気処理装置を提供することである。
【０００８】
本出願の実施例に係るフィルター掃除モジュールは、掃除キャビティを有する掃除ボックスと、前記掃除ボックスの対向する両側の壁の間に転動可能に接続され、ローラー内軸と、ローラー外筒とを備え、前記ローラー外筒がローラー内軸に外嵌され、前記ローラー外筒と前記ローラー内軸との間に回転制限構造が設けられ、前記ローラー外筒がフィルターと接触して前記フィルターを連動させるローラーアセンブリと、前記掃除ボックスに設けられ、前記ローラーアセンブリに接続されるローラー駆動ギアとを備える。
【０００９】
本出願の実施例に係るフィルター掃除モジュールにおいて、掃除ボックスは、ローラーアセンブリのための効果的な接続位置を提供することで、転動時にローラーアセンブリが安定し、位置ずれ量も小さくなる。ローラー内軸は、ローラーアセンブリの回転軸として機能し、ローラー外筒は、回転軸に外嵌されてフィルターを連動させることができ、さらに一定のフィルター掃除作用を果たす。ローラー外筒とローラー内軸との間に回転制限構造を設置することで、両者の間の位置決めを効果的に高めることができ、両者が周方向にずれるか、又は回転速度が大きく、フィルターとの摩擦力が大きすぎることを効果的に防止し、ローラーアセンブリが全体的に転動した時に安定して動作させる。ローラー駆動ギアとローラーアセンブリを別体に設置することで、両者の組立の利便性を高め、掃除ボックスの内部の占有空間を減らし、フィルターの掃除に利用可能な空間を増やすことができる。
【００１０】
好ましくは、前記ローラー内軸の外周壁には回転制限溝が設けられ、前記ローラー外筒の内周壁には回転制限突起が設けられ、前記回転制限突起は前記回転制限溝に挿入して結合される。
【００１１】
好ましくは、前記ローラー内軸は中空の円筒状に形成され、前記ローラー内軸の周壁の一部は内側に凹んで前記回転制限溝を形成する。
【００１２】
好ましくは、前記回転制限溝は前記ローラー内軸の軸方向に延びており、前記回転制限溝は前記ローラー内軸の軸方向の両端に開放して設けられる。
【００１３】
好ましくは、前記ローラー外筒は両端が開放された円筒状である。
【００１４】
好ましくは、前記ローラー外筒は全体として可撓性部材である。
【００１５】
好ましくは、前記ローラー外筒には複数の可撓性ローラーエッジが設けられる。
【００１６】
好ましくは、前記ローラーアセンブリは、前記ローラー内軸の端部に接続され、フィルターと噛み合って前記フィルターの移動を駆動するためのフィルター駆動ギアをさらに備える。
【００１７】
好ましくは、前記フィルター駆動ギアは、２つであり、２つの前記フィルター駆動ギアは、前記ローラー内軸の軸方向の両端にそれぞれ取り外し可能に接続される。
【００１８】
好ましくは、前記ローラー外筒に複数の可撓性ローラーエッジが設けられる場合、前記可撓性ローラーエッジは前記ローラーアセンブリの軸方向に延びて設けられ、前記可撓性ローラーエッジは、前記フィルター駆動ギアの歯と一対一に対応して設けられる。
【００１９】
好ましくは、前記ローラー内軸の内周壁における前記回転制限溝が形成された部分は内側突起であり、前記フィルター駆動ギアには、前記ローラー内軸に挿入される挿着部が設けられ、前記挿着部は前記内側突起に係止される。
【００２０】
好ましくは、前記掃除ボックスには入水口が設けられ、前記掃除ボックスの底部には、前記掃除キャビティと連通する出水口が設けられる。
【００２１】
本出願の実施例に係る空気処理装置は、上記フィルター掃除モジュールを備える。
【００２２】
本出願の実施例に係る空気処理装置は、上記フィルター掃除モジュールにおけるローラーアセンブリが設けられることで、フィルターを安定して駆動できるだけでなく、フィルターに対する予備洗浄作用を果たすこともでき、掃除作業時、各部材が安定して動作し、異音が発生しにくく、フィルターが後続の掃除のために対応する位置に案内されることを保証できる。
【００２３】
好ましくは、前記空気処理装置は空気調和機の室内機であり、前記フィルター掃除モジュールは前記空気調和機の室内機のベースに接続され、且つ前記フィルター掃除モジュールは前記空気調和機の室内機の水受け皿の上に位置する。
【００２４】
以下は、本出願の追加の態様や利点を説明するが、その一部は下記説明に明らかに説明されるか、或いは本出願の実施を通じて、解明される。
【図面の簡単な説明】
【００２５】
本出願の上記及び／又は追加の態様や利点は、以下の図面に関連して行われる実施例の説明から明らかになり、容易に理解されるようになるであろう。
【００２６】
【図１】本出願の実施例に係るフィルター掃除モジュールの全体構造を示す概略図である。
【図２】本出願の実施例に係るフィルター掃除モジュールが取り付けられた空気処理装置の部分構造を示す概略図である。
【図３】本出願の実施例に係るフィルター掃除モジュールの分解構造を示す概略図である。
【図４】本出願の実施例に係るフィルター掃除体アセンブリとフィルターの組み合わせ構造を示す概略図である。
【図５】本出願の実施例に係るフィルター掃除体アセンブリとフィルター掃除体駆動ギアの全体構造を示す概略図である。
【図６】本出願の実施例に係るフィルター掃除体アセンブリとフィルター掃除体駆動ギアの分解構造を示す概略図である。
【図７】図５の概略縦断面図である。
【図８】本出願の実施例に係るフィルター掃除体アセンブリ、ローラーギア及び動力アセンブリの組み合わせ構造を示す概略図である。
【図９】本出願の実施例に係る掃除ボックスとフィルター掃除体アセンブリの組み合わせ構造を示す概略図である。
【図１０】本出願の実施例に係るローラーアセンブリの分解構造を示す概略図である。
【図１１】本出願の実施例に係るごみ濾過部材の全体構造を示す概略図である。
【図１２】本出願の実施例に係る除塵部材、ごみ濾過部材の全体構造を示す概略図である。
【図１３】本出願の実施例に係るローラーアセンブリ、動力アセンブリ、掃除ボックスの全体構造を示す概略図である。
【発明を実施するための形態】
【００２７】
以下、本出願の実施例を詳細に説明し、前記実施例の例は、図面に示され、図面を通じて同じ又は類似した符号は、同じ又は類似した素子又は同じ又は類似した機能を有する素子を示す。以下、図面を参照しながら説明する実施例は、例示的なものであり、本発明を解釈するためのものにすぎず、本発明を制限するものとして理解すべきではない。
【００２８】
なお、明確に指定又は限定しない限り、「取付」、「連結」、「接続」などの用語は、広義で理解すべきであり、たとえば、固定して接続してもよく、取り外し可能に接続してもよく、又は一体に接続してもよく、機械的に接続してもよく、或いは、電気的に接続してもよく、直接接続してもよく、中間媒体を介して間接的に接続してもよく、２つの要素の内部が連通してもよい。当業者であれば、具体的な状況に応じて上記用語の本出願における具体的な意味を理解し得る。
【００２９】
以下、図面を参照して本出願の実施例に係るフィルター掃除モジュール１００を詳細に説明する。
【００３０】
本出願の実施例に係るフィルター掃除モジュール１００は、掃除ボックス１、ローラーアセンブリ６及びローラー駆動ギア２０３を備える。
【００３１】
図１２に示すように、掃除ボックス１は掃除キャビティ１０１を有する。ここで、掃除キャビティ１０１は、一定の収容空間を有し、掃除キャビティ１０１は、案内される部材及び他の機能の部材を収容することができる。
【００３２】
図１、図２、図３に示すように、ローラーアセンブリ６は、掃除ボックス１の対向する両側の壁の間に転動可能に接続される。図８、図１０に示すように、ローラーアセンブリ６は、ローラー内軸６３とローラー外筒６２を備え、ローラー外筒６２はローラー内軸６３に外嵌され、ローラー外筒６２とローラー内軸６３との間に回転制限構造６４が設けられ、ローラー外筒６２はフィルター４００と接触してフィルター４００を連動させるために用いられる。ローラー内軸６３は、ローラーアセンブリ６の回転軸として機能し、ローラー外筒６２は、回転軸に外嵌されてフィルター４００を連動させることができる。回転制限構造６４により、ローラー内軸６３とローラー外筒６２とを位置決めし、ローラーアセンブリ６が回転した時に両者が周方向にずれることを防止する。
【００３３】
なお、本出願の説明において、「周方向」、「軸方向」、「縦方向」、「長さ」、「上」、「下」、「前」、「後」、「左」、「右」、「頂」、「底」、「内」、「外」などのような用語により示される方位又は位置関係は、図面に示される方位又は位置関係に基づくものであり、本発明の説明及び説明の簡単化のためのものに過ぎず、示される装置又は要素が特定の方位を有したり、特定の方位で構成又は操作されたりすることを指示又は示唆するものではなく、よって、本発明を限定するものとして理解すべきではない。
【００３４】
図１、図２、図３、図８に示すように、ローラー駆動ギア２０３は掃除ボックス１に設けられ、ローラー駆動ギア２０３はローラーアセンブリ６に接続される。ローラー駆動ギア２０３は、ローラーアセンブリ６が転動できるように、ローラーアセンブリ６全体に外部からの動力を伝達することができる。
【００３５】
本出願の実施例に係るフィルター掃除モジュール１００において、掃除ボックス１は、掃除キャビティ１０１を有し、ローラーアセンブリ６のための全体的な移動空間と効果的な接続位置を提供することで、転動時にローラーアセンブリ６が安定し、位置ずれ量が小さく、ローラーアセンブリ６がフィルター４００を連動させた後、後続の他の部材とよりよく協働できる。
【００３６】
一方、フィルター掃除モジュール１００が除塵掃除を行う時、ローラーアセンブリ６はフィルター４００に対して一定の予備掃除作用を果たし、飛散した塵埃は掃除ボックス１内に落ちることができる。
【００３７】
ローラーアセンブリ６は、掃除ボックス１の両側の壁に固定され、掃除ボックス１に対して安定して転動可能であり、ローラーアセンブリ６が転動中にフィルター４００を連動させることで、フィルター４００の異なる部位をすべてフィルター掃除モジュール１００のところに移動させ掃除することができる。
【００３８】
ローラー内軸６３は、ローラーアセンブリ６の回転軸として機能し、ローラー外筒６２は、回転軸に外嵌されてフィルター４００を連動させることができる。ローラー外筒６２は、フィルター４００に対して一定の支持、案内及び緩衝作用を果たし、フィルター４００とローラーアセンブリ６との移動接触面積を増大させることで、フィルター４００を連動させる作用力が大きくなる。
【００３９】
ローラー外筒６２とローラー内軸６３との間に回転制限構造６４を設置することで、両者の間の位置決めを効果的に高めることができ、両者が回転してフィルター４００を輸送する過程において周方向にずれることを効果的に防止し、また、回転速度が大きいか、又はフィルター４００との摩擦力が大きすぎることも防止し、ローラーアセンブリ６が全体的に転動した時に安定して動作させる。
【００４０】
ローラー駆動ギア２０３とローラーアセンブリ６を別体に設置することで、両者の組立の利便性を高め、掃除ボックス１の内部の占有空間を減らし、フィルター４００の掃除に利用可能な空間を増やすことができる。
【００４１】
本出願のいくつかの実施例では、図１０に示すように、ローラー内軸６３の外周壁には回転制限溝６４１が設けられ、ローラー外筒６２の内周壁には回転制限突起６４２が設けられ、回転制限突起６４２は、回転制限溝６４１に挿入して結合される。回転制限溝６４１と回転制限突起６４２は、回転制限構造６４を構成し、回転制限構造６４は、ローラー内軸６３とローラー外筒６２の組立位置の固定性を高め、ローラー内軸６３とローラー外筒６２が周方向にスライドして周方向のずれが生じることを防止する。
【００４２】
当然のことながら、他の例では、ローラー内軸６３の外周壁に回転制限突起６４２が設けられ、ローラー外筒６２に回転制限溝６４１が設けられてもよい。
【００４３】
他の例では、ローラー内軸６３とローラー外筒６２の一方にはスロットが設けられ、他方には弾性プラグが設けられ、弾性プラグがスロットに挿入されて制限を形成する。
【００４４】
他の例では、ローラー外筒６２とローラー内軸６３は接着構造により回転制限され、両者は一体に接着され、ここで接着構造が回転制限構造６４である。
【００４５】
有利には、回転制限溝６４１は、ローラー内軸６３の軸方向に延びており、回転制限溝６４１は、ローラー内軸６３の軸方向の両端に開放して設けられる。一定の長さを有する回転制限溝６４１は、回転制限溝６４１と回転制限突起６４２との嵌合安定性をさらに高めることができる。また、回転制限溝６４１は、ローラー内軸６３とローラー外筒６２が容易に組み立てられるように、一定の案内作用を提供し、すなわち、別体に設計されたローラー内軸６３とローラー外筒６２を軸方向に沿って組み立てる時、端部の回転制限溝６４１と回転制限突起６４２を突き合わせた後、ローラー外筒６２を回転制限溝６４１の延在方向に沿って内向きに装着するだけでよい。
【００４６】
好ましくは、ローラー内軸６３の外壁には複数の回転制限溝６４１が設けられ、ローラー外筒６２の内壁には複数の回転制限突起６４２が対応して設けられる。複数の回転制限構造６４の嵌合により、内部の回転制限と位置決めが大幅に向上する。
【００４７】
本出願のいくつかの実施例では、図１０に示すように、ローラー内軸６３は、中空の円筒状に形成される。中空の円筒状の設計により、材料が節約され、且つローラーアセンブリ６は軽量になり、回転時の動力消費が少なく、動力資源が節約され、駆動されやすい。
【００４８】
当然のことながら、本出願の他の例では、ローラー内軸６３は、より耐久性の高い中実円柱体であってもよい。
【００４９】
本出願のいくつかの実施例では、図８、図１０に示すように、ローラーアセンブリ６は、フィルター駆動ギア６１をさらに備え、フィルター駆動ギア６１はローラー内軸６３の端部に接続され、フィルター駆動ギア６１はフィルター４００と噛み合ってフィルター４００を連動させるために用いられる。フィルター駆動ギア６１はフィルター４００と噛み合って移動し、噛み合ったフィルター４００とフィルター駆動ギア６１より容易に連動し、フィルター４００は噛み合って移動する過程において単位時間当たりの移動距離が安定し、ずれが生じにくい。フィルター駆動ギア６１及びローラー外筒６２と、フィルター４００との協働により、フィルター４００はかなりの程度までそれら両者に伴って移動することができ、協調性がより高くなり、移動ずれによる異音が発生しにくい。フィルター４００とローラーアセンブリ６に洗浄液をシャワーするか又はそれらを洗浄液に浸漬することで、表面の塵埃を水洗い洗浄で除去し、塵埃の飛散を防止し、清浄度を高めることに役立つ。
【００５０】
本出願のいくつかの実施例では、図３、図８、図１０、図１３に示すように、フィルター駆動ギア６１は２つであり、２つのフィルター駆動ギア６１はそれぞれ、ローラー内軸６３の両端に取り外し可能に接続される。フィルター駆動ギア６１をローラー内軸６３取り付けやすく、且つ同時に両端に取り付けられたフィルター駆動ギア６１は、ローラー内軸６３の回転時の安定性を高めることができる。
【００５１】
有利には、図１０に示すように、２つのフィルター駆動ギア６１を設置する上記構成に対応して、ローラー外筒６２は、両端が開放された円筒状である。円筒状の両端には、フィルター駆動ギア６１を取り付けるための一定の空間が確保される。
【００５２】
好ましくは、図１０に示すように、ローラー内軸６３の周壁の一部が内側に凹んで回転制限溝６４１を形成し（この回転制限溝６４１は上記回転制限突起６４２と嵌合する構造である）、ローラー内軸６３の内周壁における回転制限溝６４１が形成された部分は内側突起６３１であり、それに対応して、フィルター駆動ギア６１には、ローラー内軸６３に挿入される挿着部６１１が設けられ、挿着部６１１は内側突起６３１に係止される。挿着部６１１は、フィルター駆動ギア６１とローラー内軸６３との接続性を高めるために、ローラー内軸６３に挿入される。
【００５３】
具体的には、図１０に示すように、挿着部６１１には挿入口６１２が軸方向に沿って設けられ、挿入口６１２は内側突起６３１に係止される。ローラー内軸６３に対する挿着部６１１の回転を防止して、フィルター駆動ギア６１の空転を防止する。フィルター駆動ギア６１がローラー内軸６３を効果的に連動させて回転させることを保証し、周方向のずれを防止し、また、同期回転するフィルター駆動ギア６１、ローラー内軸６３及びローラー外筒６２は、フィルター４００を連動させる時にフィルター４００のずれを低減することもできる。
【００５４】
いくつかの実施例では、図１０、図１３に示すように、フィルター駆動ギア６１の外端には伝動軸６１３が突出して形成され、ローラー駆動ギア２０３に接続される一端の伝動軸６１３には、第１扁平部分６１４が形成され、それに対応して、ローラー駆動ギア２０３の軸の内部には、第１扁平部分６１４と嵌合する接続穴が形成される。第１扁平部分６１４は、ローラー駆動ギア２０３とフィルター駆動ギア６１の伝動接続関係を補強でき、ローラー駆動ギア２０３がフィルター駆動ギア６１を連動させて回転させずに空転することを防止する。ローラー駆動ギア２０３は、ローラーアセンブリ６のフィルター駆動ギア６１に外部からの動力を伝達した上で、ローラーアセンブリ６全体を連動させて転動させる。「第１」、「第２」により限定される特徴は、１つ又は複数の該特徴を明示的に、あるいは黙示的に有してもよく、１つの特徴を別の特徴から区別するために用いられ、順序又は重要性を示すものではない。
【００５５】
有利には、図１、図３、図１３に示すように、掃除ボックス１の両側の壁の上部にはそれぞれ接続口１０８が開設され、接続口１０８にはフィルター駆動ギア６１の伝動軸６１３が嵌合する。接続口１０８は、ローラーアセンブリ６の転動のための安定した支持を提供し、ローラー内軸６３の揺動を防止する。
【００５６】
好ましくは、図３、図１３に示すように、接続口１０８の上部が開放されて接続溝１０９が形成されており、ローラーアセンブリ６全体を接続口１０８に取り付けることに役立つ。
【００５７】
取り付ける時、まず、両側のフィルター駆動ギア６１をそれぞれローラー内軸６３の両端に取り付けて一体に接続し、次に、１つの接続口１０８に一方のフィルター駆動ギア６１の伝動軸６１３を取り付け、その後、別の接続口１０８に他方のフィルター駆動ギア６１の伝動軸６１３を接続溝１０９から下向きに取り付け、最後に、ローラー駆動ギア２０３を伝動軸６１３の第１扁平部分６１４と位置合わせして、掃除ボックス１の側面に取り付ける。
【００５８】
本出願のいくつかの実施例では、図８及び図１０に示すように、ローラー外筒６２は全体として可撓性部材である。ここで、可撓性のローラー外筒６２がフィルター４００と接触した時、伝送中にフィルター４００が傷つけられないように、フィルター４００を効果的に保護することができる。また、ローラー外筒６２とフィルター４００の柔軟な接触及び摩擦により、フィルター４００の掃除程度を高めることができ、特に、フィルター４００とローラー外筒６２に洗浄液をシャワーするか又はそれらを浸漬した後、両者の相対移動は、ある程度の水洗い洗浄効果を果たすことができる。
【００５９】
好ましくは、ローラー外筒６２は３０〜７０のショア硬度を有し、フィルター４００の安定した運動を保証し、運動中の異音を低減する。
【００６０】
好ましくは、図１０に示すように、ローラー外筒６２には、複数の可撓性ローラーエッジ６２１が設けられる。可撓性ローラーエッジ６２１により、ローラー外筒６２とフィルター４００の転動摩擦力及び接触フィット性をさらに高めることができる。
【００６１】
有利には、可撓性ローラーエッジ６２１は、ローラーアセンブリ６の軸方向に延びて設けられ、可撓性ローラーエッジ６２１はフィルター駆動ギア６１の歯と一対一に対応して設けられる。これにより、フィルター４００がフィルター駆動ギア６１とローラー外筒６２とに連動すると、フィルター４００の筋状凸部４０１が可撓性ローラーエッジ６２１の間の溝に係止されることで、フィルター４００は、回転中に左右にずれず、且つフィルター４００は、ローラーアセンブリ６と同期して回転する。
【００６２】
好ましくは、図４、図１０に示すように、可撓性ローラーエッジ６２１がフィルター駆動ギア６１の歯と一対一に対応して設けられることで、フィルター４００には、可撓性ローラーエッジ６２１及びフィルター駆動ギア６１と噛み合った筋状凸部４０１を軸方向全体に設置することができ、それにより、ローラーアセンブリ６とフィルター４００の動作の協調性をさらに高める。
【００６３】
本出願のいくつかの実施例では、図３、図１３に示すように、ローラーアセンブリ６の下部には、フィルター軌道６５が設けられ、フィルター軌道６５は、ローラーアセンブリ６の下部を半分包囲し、フィルター軌道６５は、弧状板として形成され、フィルター軌道６５の中間部には、空隙と接触するくり抜き部があり、フィルター軌道６５は、フィルター４００が掃除後にすみやかに濾過位置に戻るように、フィルター４００の運動を案内することができる。くり抜き部の設計は、ローラーアセンブリ６の下部及び下部に回転したフィルター４００がフィルター掃除体アセンブリ３と良好な接触を形成することに役立ち、それにより、除塵を行うことに役立つ。
【００６４】
本出願のいくつかの実施例では、図３、図１２に示すように、掃除ボックス１の壁には軸穴１０４が設けられる。図３〜図９に示すように、フィルター掃除体アセンブリ３は、掃除ボックス１の対向する両側の壁の間に転動可能に接続され、フィルター掃除体アセンブリ３は、フィルター４００上のごみを掃除するために用いられ、フィルター掃除体アセンブリ３は、掃除キャビティ１０１内に配置されてもよく、掃除キャビティ１０１の上に位置しても良い。フィルター掃除体アセンブリ３の少なくとも一端の端面には端部穴３０１が設けられる。
【００６５】
図３、図５〜図９に示すように、フィルター掃除体駆動ギア４は動力源に接続するように掃除ボックス１の外部に配置され、フィルター掃除体駆動ギア４には、フィルター掃除体接続軸４１０が同軸に設けられ、フィルター掃除体接続軸４１０は、軸穴１０４を貫通して端部穴３０１内に挿入され、且つフィルター掃除体アセンブリ３と同期して回転する。動力源により駆動されると、フィルター掃除体駆動ギア４が回転し、且つ動力を順にフィルター掃除体接続軸４１０とフィルター掃除体アセンブリ３に伝達し、フィルター掃除体アセンブリ３の転動のための持続的な動力を提供する。
【００６６】
本出願のいくつかの実施例では、図６、図７に示すように、フィルター掃除体接続軸４１０には、端部穴３０１に係止される弾性クリップ４１１が設けられる。この弾性クリップ４１１は、一定の弾性変形力を有し、端部穴３０１への差し込み及び抜き出しに役立ち、それにより、フィルター掃除体駆動ギア４とフィルター掃除体アセンブリ３の着脱に役立つ。
【００６７】
本出願のいくつかの実施例では、図６、図７に示すように、フィルター掃除体接続軸４１０には、第２扁平部分４１２が設けられ、端部穴３０１はフィルター掃除体接続軸４１０に合わせた形状に形成される。第２扁平部分４１２の設置により、フィルター掃除体接続軸４１０と端部穴３０１との嵌合性を高め、且つフィルター掃除体接続軸４１０の位置決めをより良く達成し、フィルター掃除体接続軸４１０が端部穴３０１内で自ら回転するだけでフィルター掃除体アセンブリ３を連動させて回転させることができない状況を防止することができる。動力の伝達及びフィルター掃除体アセンブリ３の安定した回転に役立つ。
【００６８】
本出願のいくつかの例では、フィルター掃除体接続軸４１０には、上記弾性クリップ４１１と第２扁平部分４１２の両方が設けられ、第２扁平部分４１２を有するフィルター掃除体駆動ギア４が軸穴１０４と端部穴３０１から押し込まれると、弾性クリップ４１１がフィルター掃除体アセンブリ３の内部端面に挟み付けられることで、フィルター掃除体アセンブリ３の転動中の軸方向のずれが制限される。
【００６９】
本出願のいくつかの実施例では、図３〜図９に示すように、フィルター掃除体アセンブリ３は、フィルター掃除体内軸３１０とフィルター掃除体３２０を備える。
【００７０】
ここで、フィルター掃除体内軸３１０の両端は、掃除ボックス１の対向する両側の壁の間に接続され、端部穴３０１は、フィルター掃除体内軸３１０の端面に設けられる。
【００７１】
フィルター掃除体３２０は、フィルター掃除体内軸３１０の周壁に設けられ、フィルター掃除体３２０は、フィルター４００と接触するために用いられる。フィルター掃除体３２０は、フィルター４００と直接接触し、フィルター４００に対する良い掃除作用を果たすことができる。
【００７２】
有利には、フィルター掃除体３２０は、円筒状に形成され、且つフィルター掃除体３２０は、フィルター掃除体内軸３１０に外嵌される。円筒状のフィルター掃除体３２０は、フィルター掃除体内軸３１０と着脱しやすく、且つ交換しやすい。
【００７３】
有利には、フィルター掃除体３２０は、シート状に形成して屈曲した後にフィルター掃除体内軸３１０の周壁に巻き付けられる。加工製造しやすく、組み立てられたフィルター掃除体３２０とフィルター掃除体内軸３１０の接続をより密にし、フィルター掃除体アセンブリ３の転動中にフィルター掃除体３２０がフィルター掃除体内軸３１０からずれることを防止することができる。
【００７４】
具体的には、好ましくは、フィルター掃除体３２０は、フィラメント繊維を有する織物であり、フィルター掃除体３２０とフィルター掃除体内軸３１０は、接着剤により一体に接続される。
【００７５】
好ましくは、フィルター掃除体３２０は、ファイバーを有する可撓性シリンダであってもよく、可撓性シリンダは、フィルター掃除体内軸３１０に外嵌される。
【００７６】
好ましくは、フィルター掃除体３２０は、表面に細かくて平らなブラシ毛を有する掃除部材であってもよい。
【００７７】
本出願のいくつかの実施例では、図６、図７に示すように、フィルター掃除体内軸３１０は、内軸下部カバー３１１と内軸上部カバー３１２を備える。
【００７８】
ここで、内軸下部カバー３１１は長尺状に形成され、内軸下部カバー３１１には内軸切欠部３０２が設けられ、内軸下部カバー３１１の一端には嵌合軸３０４が形成される。
【００７９】
それに対応して、内軸上部カバー３１２は長尺状に形成され、内軸上部カバー３１２は内軸切欠部３０２の箇所に設けられ、内軸上部カバー３１２と内軸下部カバー３１１の他端とが嵌合して端部穴３０１を形成する。
【００８０】
フィルター掃除体接続軸４１０は、内軸下部カバー３１１内に挿設され、且つ内軸上部カバー３１２に接続される。
【００８１】
長尺状の内軸下部カバー３１１と内軸上部カバー３１２は嵌合により一体となり、フィルター掃除体３２０を共同で支持する。
【００８２】
フィルター掃除体内軸３１０がフィルター掃除体３２０を支持してフィルター４００を掃除するには、大きな接線力と曲げモーメントを受ける必要があるため、フィルター掃除体内軸３１０の構造強度及び剛性を向上させる必要がある。フィルター掃除体内軸３１０が内軸下部カバー３１１と内軸上部カバー３１２に分割したため、両者を接続するだけでフィルター掃除体内軸３１０の構造強度及び剛性を向上させることができ、且つ内軸下部カバー３１１と内軸上部カバー３１２に補強リブなどの補強構造をさらに加工することは比較的容易である。また、別体に設計された内軸下部カバー３１１と内軸上部カバー３１２により、フィルター掃除体接続軸４１０を所望の位置に容易に係止でき、全体的な組立の信頼性に役立つ。
【００８３】
好ましくは、内軸下部カバー３１１と内軸上部カバー３１２は、係止穴又はねじなどの取り外し可能な接続方式により一体構造となる。
【００８４】
好ましくは、内軸下部カバー３１１と内軸上部カバー３１２は、溶接（超音波溶接など）、接着により一体となる。
【００８５】
好ましくは、図３に示すように、掃除ボックス１の対向する両側の壁には軸穴１０４が設けられ、そのうち一方の軸穴１０４には嵌合軸３０４が挿入され、他方の軸穴１０４にはフィルター掃除体接続軸４１０が嵌合して接続されることで、フィルター掃除体アセンブリ３を掃除ボックス１に安定して接続し、掃除作業時の揺動を防止することができる。
【００８６】
本出願のいくつかの有利な設計では、図６、図７に示すように、内軸上部カバー３１２の長手方向の両端には、それぞれ回転防止ブロック３０５が設けられ、内軸切欠部３０２の内壁には、対応する回転防止溝３０３が設けられる。回転防止ブロック３０５と回転防止溝３０３の嵌合により、内軸下部カバー３１１と内軸上部カバー３１２との位置決めをさらに向上させることができ、それにより、両者は組立後に回転しにくくなる。
【００８７】
本出願のいくつかの実施例では、図９、図１２に示すように、掃除ボックス１には、入水口１０５及び出水口１０６が設けられ、水洗い洗浄が行われる時、洗浄液は、入水口１０５から注入され、洗浄後の廃液は、出水口１０６から外部に排出される。
【００８８】
具体的には、掃除ボックス１の底部には、掃除キャビティ１０１と連通する出水口１０６が設けられる。底部に設けられた出水口１０６は、掃除キャビティ１０１内の水が重力作用により排出されることに役立つ。
【００８９】
当然のことながら、本出願のいくつかの実施例では、掃除ボックス１に入水口１０５を設置せず、掃除ボックス１の上からローラーアセンブリ６とフィルター２００に向かって直接シャワーしてもよく、これも本出願の保護の範囲内に含まれる。
【００９０】
フィルター掃除モジュール１００の水洗い洗浄中に、掃除キャビティ１０１は、滴下した水を収容してよいし、水洗い時に水が飛散しないように水の一部を貯蔵してもよく、掃除キャビティ１０１に貯蔵された水の量が一定の深さに達すると、ローラーアセンブリ６及びフィルター４００を水に浸漬して、水洗い洗浄を行うすることができる。好ましくは、入水口１０５は、フィルター掃除体アセンブリ３に向かって設けられ、フィルター掃除体アセンブリ３は、掃除キャビティ１０１の上部に設けられる。この時、入水口１０５は、フィルター掃除体アセンブリ３の側面に位置合わせして噴射することができ、それにより、フィルター掃除体アセンブリ３を濡らし、フィルター掃除体アセンブリ３上の塵埃を洗浄し、フィルター４００に対するフィルター掃除体アセンブリ３の掃除能力を向上させることができる。
【００９１】
好ましくは、入水口１０５は、掃除キャビティ１０１の上部に設けられ、フィルター掃除体アセンブリ３に向かってシャワーする。この時、入水口１０５中の水は上部からフィルター掃除体アセンブリ３にシャワーされ、清浄水が最初からフィルター掃除体アセンブリ３とフィルター４００との接触部位に送られることで、フィルター４００（フィルター４００を図４に示す）の掃除能力が大幅に向上する。
【００９２】
好ましくは、フィルター掃除体アセンブリ３の少なくとも一部は、掃除キャビティ１０１内に浸漬される。フィルター掃除体アセンブリ３の一部が掃除キャビティ１０１内に浸漬された時、フィルター掃除体アセンブリ３上の汚水は、掃除キャビティ１０１内に良好に収まり、こぼれにくい。また、掃除キャビティ１０１内の水位がフィルター掃除体アセンブリ３まで上昇した時、水に浸漬されたフィルター掃除体アセンブリ３を再洗浄することができる。
【００９３】
好ましくは、入水口１０５は、フィルター掃除体アセンブリ３に向かって設けられ、且つフィルター掃除体アセンブリ３は、掃除キャビティ１０１内に浸漬される。フィルター掃除体アセンブリ３の頂部が水没するほど、掃除キャビティ１０１内の水位が高く上昇した時、フィルター掃除体アセンブリ３をあらゆる方向に洗浄することができる。
【００９４】
本出願のいくつかの実施例では、図３、図４、図１２に示すように、フィルター掃除体アセンブリ３の下部には、除塵部材５が設けられ、除塵部材５には、フィルター掃除体アセンブリ３と接触する歯板が設けられ、歯板には櫛歯５１が設けられ、除塵部材５の両端は掃除ボックス１に係止される。除塵部材５は、掃除ボックス１内の毛髪などのごみを梳き取って掃除キャビティ１０１に入れることができ、フィルター掃除体アセンブリ３の掃除効果を向上させる。
【００９５】
本出願のいくつかの実施例では、図３、図１１、図１２に示すように、掃除ボックス１内の掃除キャビティ１０１の内壁には固定位置が設けられ、ごみ濾過部材８は、除塵部材５の下部に配置され、ごみ濾過部材８には、出水口１０６に向かう水中のごみの流れを遮断するための格子板８１が設けられ、ごみ濾過部材８には係止部８３が設けられて、固定位置に係止される。ごみ濾過部材８は、フィルター掃除体アセンブリ３から洗い落とされた汚水中の毛髪などのごみを濾過して、ごみが出水口１０６を詰まらせることを防止することができる。
【００９６】
好ましくは、図１１に示すように、係止部８３は弾性係止具であり、ごみ濾過部材８の対向する両側には弾性係止具が設けられる。それに対応して、掃除キャビティ１０１の内壁には、係止部８３と嵌合する２つの固定位置が設けられる。弾性係止具は取り付けやすく、且つ一定の弾性復元力を有する。ごみ濾過部材８が掃除キャビティ１０１に取り付けられた後、弾性係止具の弾性力で掃除ボックス１の内壁に押し当たり、ごみ濾過部材８の揺動を効果的に防止する。
【００９７】
好ましくは、図１１に示すように、ごみ濾過部材８は、頂部案内板８２をさらに備え、頂部案内板８２は斜めに設けられ、頂部案内板８２は格子板８１の上方に接続され、頂部案内板８２の周方向の４辺はいずれも掃除キャビティ１０１の内壁と接触して嵌合する。斜めに設けられた頂部案内板８２は、フィルター掃除体アセンブリ３の洗浄後の汚水を導き、汚水を頂部案内板８２に沿って流下させ、汚水が掃除キャビティ１０１内に飛散することを防止することができる。
【００９８】
また、図１１に示すように、頂部案内板８２には、上下に貫通する通水穴８４が設けられる。通水穴８４は、汚水を頂部案内板８２から格子板８１に導入することができる。
【００９９】
好ましくは、図１１及び図１２に示すように、格子板８１は、屈曲して接続された３つの部分を含み、そのうち２つの部分は、頂部案内板８２の真下に配置され、且つごみ濾過部材８の底壁を構成し、格子板８１の３つの部分のうち、第３部分は、ごみ濾過部材８の底壁から上に屈曲して頂部案内板８２に接続される。ここで、底壁を構成する格子板８１の２つの部分は、互いの方向に向かって下向きに延びており、出水口１０６は、底壁を構成する格子板８１の２つの部分の接続部位の下方に配置される。格子板８１により濾過された水は、出水口１０６に合流して排出される。
【０１００】
好ましくは、図１１に示すように、頂部案内板８２と格子板８１との間には複数の接続板８６が接続され、接続板８６には切欠部が設けられ、係止部８３は切欠部の内壁に接続される。接続板８６は、ごみ濾過部材８全体の構造強度を向上させ、過剰な汚水がごみ濾過部材８の側壁を直接通過することを防止する。
【０１０１】
好ましくは、図１１及び図１２に示すように、ごみ濾過部材８の頂部と底部には、当接位置決めブロック８５がそれぞれ設けられ、頂部の当接位置決めブロック８５は、除塵部材５に当接し、底部の当接ブロック８５は、掃除ボックス１の内壁に当接する。
【０１０２】
それに対応して、掃除ボックス１には、底部の２つの部分の格子板８１に適合する支持壁１０７が設けられ、底部の当接ブロック８５は支持壁１０７に当接する。
【０１０３】
本出願のいくつかの実施例では、図１、図２、図３、図８に示すように、動力源は掃除モーター２０１を使用し、掃除モーター２０１は第１伝動ギア７１を連動させて回転させ、第１伝動ギア７１は、第２伝動ギア７２を連動して回転させ、第２伝動ギア７２は、フィルター掃除体駆動ギア４、ローラー駆動ギア２０３を同時に連動させて回転させ、同時に、フィルター掃除体駆動ギア４は、フィルター掃除体接続軸４１０を介してフィルター掃除体アセンブリ３に動力を伝達し、フィルター掃除体アセンブリ３を回転させ、ローラー駆動ギア２０３は、フィルター駆動ギア６１を連動させて同軸回転させることで、ローラー外筒６２などの部材を連動させて回転させ、且つフィルター４００もフィルター駆動ギア６１とローラー外筒６２に連動させて回転する。そのため、フィルター４００とフィルター掃除体アセンブリ３の接触面では、両者の接線速度は逆であり、フィルター掃除体アセンブリ３がフィルター４００をよりよく掃除することに役立つ。
【０１０４】
当然のことながら、本出願では、他の中間伝動ギアを必要とすることなく、ローラー駆動ギア２０３とフィルター掃除体駆動ギア４をそれぞれ駆動するために、掃除モーター２０１が２つ別個に設けられてもよいが、ここで特に限定されない。
【０１０５】
本出願の上記実施例では、動力アセンブリ２は、上記掃除モーター２０１とローラー駆動ギア２０３を備える。
【０１０６】
好ましくは、図１、図２、図３に示すように、ギア保護カバー７は、掃除ボックス１の側部に設けられ、動力アセンブリ２を密閉して、各ギアを閉じられた動作空間に配置することで、異物がギアに巻き込まれてギアの動作を妨害することが防止される。
【０１０７】
本出願のいくつかの実施例では、図９に示すように、フィルター掃除モジュール１００は、給水管９１、水ポンプアセンブリ９２、出水制御弁９３及び排水管９４をさらに備え、ここで給水管９１の一端は、入水口１０５に接続され、給水管９１の他端は、水ポンプアセンブリ９２に接続され、水ポンプアセンブリ９２は、貯水容器から水を吸込んで、水を給水管９１から入水口１０５にポンピングするために用いられ、出水制御弁９３は、出水口１０６の開閉を制御するために用いられ、出水口１０６には排水管９１が接続され、排水管９１を介して貯水容器の排水口に排水する。
【０１０８】
好ましくは、出水制御弁９３は排水管９１に接続され、出水制御弁９３の出水制御ポートは貯水容器の排水口に対向して設けられる。
【０１０９】
本出願の実施例に係る空気処理装置１０００は、上記フィルター掃除モジュール１００を備え、フィルター掃除モジュール１００の構造については説明を省略する。
【０１１０】
フィルター掃除モジュール１００を備える空気処理装置１０００は、上記フィルター掃除モジュール１００におけるローラーアセンブリ６が設けられることで、フィルター４００を安定して駆動できるだけでなく、フィルター４００に対する予備洗浄作用を果たすこともでき、掃除作業時、各部材が安定して動作し、異音が発生しにくく、フィルター４００が後続の掃除のために対応する位置に案内されることを保証できる。
【０１１１】
ここで、空気処理装置１０００は、空気調和機の室内機であってもよく、空気清浄器、又は濾過及び除塵機能を備えるフィルターが設けられた他の装置であってもよい。
【０１１２】
図２に示すように、具体例では、空気処理装置１０００は空気調和機の室内機であり、フィルター掃除モジュール１００は空気調和機の室内機のベース２２０に接続され、且つフィルター掃除モジュール１００は空気調和機の室内機の水受け皿３００の上方に位置する。
【０１１３】
具体的には、図２に示すように、空気調和機の室内機のケーシング２００の頂部には吸込口２１０があり、フィルター４００は、吸込口２１０に移動可能に設けられ、ケーシング２００は、熱交換器やファンを固定するためのベース２２０を備える。
【０１１４】
図２に示すように、ベース２２０は、背板２２１及び底板２２２を備え、背板２２１は、上下方向に設けられ、底板２２２は、背板２２１の底部の前側に接続され、水受け皿３００の後端は背板２２１に接続され、且つ側辺は底板２２２に接続され、フィルター掃除モジュール１００は、背板２２１と水受け皿３００にそれぞれ接続される。
【０１１５】
フィルター掃除モジュール１００の底部は水ポンプアセンブリ９２であり、水ポンプアセンブリ９２は、水ポンプベース、水ポンプ吐出口及び水ポンプ吸込口を備え、ここでポンプ吸込口は、水ポンプベースの底部に設けられ、水ポンプベースは、水受け皿３００の底部の内面と面一になり、水ポンプアセンブリ９２が水受け皿３００内の低い水位の水を吸込むことができることを保証する。水ポンプ吐出口は、給水管９１に接続される。排水管９４の底部は、水受け皿３００の排水口と位置合わせされ排水する。
【０１１６】
本出願の２つの運動部材の運動の「同期」とは、２つの運動部材が単位時間当たりに一定の相対的な関係を有することを指し、変位の相対的な変化が一致してもよく、速度の相対的な変化が一致してもよく、又は周波数の変化が一貫してもよい。より具体的には、同軸の回転部材の「同期回転」とは、２つの移動部材の回転方向が同じで、回転の角速度が同じで、且つ両者の回転開始時間、回転停止時間が同じであることを指す。
【０１１７】
本出願の実施例の解決手段をよりよく理解するために、以下、図１〜図１３を参照して本出願の具体的な実施例におけるフィルター掃除モジュール１００の構造を説明する。
【０１１８】
図３に示すように、フィルター掃除モジュール１００は、掃除ボックス１、動力アセンブリ２、フィルター掃除体アセンブリ３、フィルター掃除体駆動ギア４、除塵部材５、ローラーアセンブリ６、ギア保護カバー７、ごみ濾過部材８、給水管９１、水ポンプアセンブリ９２、出水制御弁９３及び排水管９４を備える。
【０１１９】
具体的には、図３、図９、図１２に示すように、掃除ボックス１は、上端が開放された掃除キャビティ１０１を有し、掃除ボックス１の壁には軸穴１０４が設けられ、掃除ボックス１の上部において軸穴１０４よりも高い位置には入水口１０５が設けられ、掃除ボックス１の下端には支持壁１０７が設けられ、支持壁１０７には下向きの出水口１０６が形成される。
【０１２０】
図１〜図４、図８、図１０、図１３に示すように、掃除ボックス１の上部の対向する両側の壁には、接続口１０８が設けられ、ローラーアセンブリ６は、２つの接続口１０８の間に転動可能に接続され、ローラーアセンブリ６は、フィルター駆動ギア６１、ローラー外筒６２及びローラー内軸６３を備える。ここで、ローラー内軸６３の端部には、フィルター駆動ギア６１がそれぞれ接続され、ローラー外筒６２は、ローラー内軸６３に外嵌され、ローラー内軸６３の外周壁には回転制限溝６４１が設けられ、円筒状のローラー外筒６２の内周壁には回転制限突起６４２が設けられ、回転制限突起６４２は、回転制限溝６４１に挿入して結合される。フィルター駆動ギア６１の端部に伝動軸６１３が突出して形成され、伝動軸６１３は、接続口１０８に挿入され、且つそのうち１つの伝動軸６１３には、軸方向の第１扁平部分６１４が形成され、第１扁平部分６１４は、ローラー駆動ギア２０３と嵌合して接続される。フィルター駆動ギア６１は、フィルター４００と噛み合ってフィルター４００を連動させるために用いられ、ローラー外筒６２は、フィルター４００と柔軟に接触してフィルター４００を連動させて掃除を行うために用いられる。フィルター４００の底部には、フィルター駆動ギア６１及びローラー外筒６２と嵌合する筋状凸部４０１が設けられる。図３に示すように、ローラーアセンブリ６の下部にはフィルター軌道６５が設けられ、フィルター軌道６５はローラーアセンブリ６の下部を半分包囲する。
【０１２１】
図３〜図９に示すように、フィルター掃除体アセンブリ３は、掃除ボックス１の対向する両側の壁の間に転動可能に接続され、フィルター掃除体アセンブリ３は、フィルター４００上のごみを除去するために用いられ、フィルター掃除体アセンブリ３は、フィルター掃除体内軸３１０とフィルター掃除体３２０を備える。フィルター掃除体３２０は、フィルター掃除体内軸３１０の周壁に設けられ、フィルター掃除体３２０は、フィルター４００と接触してフィルター４００を掃除するために用いられる。フィルター掃除体内軸３１０は、一体に係止され、且つボルトで接続された内軸下部カバー３１１と内軸上部カバー３１２を備える。内軸下部カバー３１１の一端には嵌合軸３０４が形成され、内軸下部カバー３１１の他端は内軸上部カバー３１２と嵌合して端部穴３０１を形成し、嵌合軸３０４は１つの軸穴１０４に挿入される。
【０１２２】
図３、図５〜図９に示すように、フィルター掃除体駆動ギア４は動力源に接続するように掃除ボックス１の外部に配置され、フィルター掃除体駆動ギア４には、フィルター掃除体接続軸４１０が同軸に設けられ、フィルター掃除体接続軸４１０は、別の軸穴１０４を貫通して端部穴３０１内に挿入され、且つフィルター掃除体アセンブリ３と同期して回転する。
【０１２３】
図３、図４、図１２に示すように、フィルター掃除体アセンブリ３の下部には、除塵部材５が設けられ、除塵部材５には、フィルター掃除体アセンブリ３と接触する歯板が設けられ、歯板には櫛歯５１が設けられ、除塵部材５の両端は掃除ボックス１内に係止される。
【０１２４】
図３、図１１、図１２に示すように、掃除ボックス１内の掃除キャビティ１０１の内壁には固定位置が設けられ、ごみ濾過部材８は、除塵部材５の下部に配置され、ごみ濾過部材８には、出水口１０６に向かう水中のごみの流れを遮断するための格子板８１が設けられ、ごみ濾過部材８には係止部８３が設けられ、固定位置に係止され、ごみ濾過部材８の最低部位は、出水口１０６に位置合わせされている。ごみ濾過部材８の上部には、除塵部材５に当接する当接位置決めブロック８５が設けられ、ごみ濾過部材８の下部には、支持壁１０７に当接する当接位置決めブロック８５が設けられる。
【０１２５】
図８に示すように、動力アセンブリ２は、掃除モーター２０１、ローラー駆動ギア２０３、及び伝動駆動するための第１伝動ギア７１と第２伝動ギア７２を備え、掃除モーター２０１は、第１伝動ギア７１の回転を駆動し、第１伝動ギア７１は、第２伝動ギア７２を連動させて回転させ、第２伝動ギア７２は、フィルター掃除体駆動ギア４とローラー駆動ギア２０３を同時に連動させて回転させる。
【０１２６】
図１、図２、図３に示すように、ギア保護カバー７は、掃除ボックス１の側部に設けられ、動力アセンブリ２を特定の空間内に密閉する。
【０１２７】
図９に示すように、給水管９１の一端は、入水口１０５に接続され、給水管９１の他端は、水ポンプアセンブリ９２に接続され、水ポンプアセンブリ９２は、貯水容器から水を吸込んで、水を給水管９１から入水口１０５にポンピングするために用いられ、出水制御弁９３は、出水口１０６の開閉を制御するために用いられ、出水口１０６には排水管９１が接続され、排水管９１を介して貯水容器の排水口に排水する。
【０１２８】
図２に示すように、空気処理装置１０００は、空気調和機の室内機を例とすると、空気調和機の室内機は、ケーシング２００を備え、ケーシング２００の頂部には吸込口２１０が設けられ、吸込口２１０には運動可能なフィルター４００が設けられる。ケーシング２００は、背板２２１及び底板２２２で構成されたベース２２０をさらに備え、背板２２１は、上下方向に設けられ、底板２２２は、背板２２１の底部の前側に接続され、水受け皿３００の後端は背板２２１に接続され、且つ側辺は底板２２２に接続され、フィルター掃除モジュール１００は、背板２２１と水受け皿３００にそれぞれ接続され、フィルター掃除モジュール１００の頂部のローラーアセンブリ６は、フィルター４００と位置合わせされている。
【０１２９】
掃除作業時、動力アセンブリ２は、ローラー駆動ギア２０３とフィルター掃除体駆動ギア４を駆動して伝動回転させ、ローラー駆動ギア２０３は、ローラーアセンブリ６連動させて回転させ、フィルター掃除体駆動ギア４は、フィルター掃除体アセンブリ３を連動させて回転させ、フィルター４００は、ローラーアセンブリ６とともに回転し、且つ回転しているフィルターアセンブリ３と回転接触面を形成し、フィルター４００は、ローラーアセンブリ６の表面上で回転し、且つフィルター軌道６５内で伝送される。フィルター掃除体アセンブリ３は、フィルター４００上の塵埃をその表面にこすりつけ、回転中に、除塵部材５が表面のごみや毛髪を掻き落す。
【０１３０】
同時に、水ポンプアセンブリ９２は、水受け皿３００から水を吸込んで、水を給水管９１から入水口１０５にポンピングし、フィルター掃除体アセンブリ３の表面が濡らされて洗浄され、洗浄後の汚水は、除塵部材５内のごみ及び毛髪をごみ濾過部材８に運び、毛髪は、ごみ濾過部材８に残されるが、汚水は、出水口１０６から排水管９４に向かって排出され、さらに水受け皿３００の排水口に位置合わせされた排水管９４を介して、空気調和機の外部に排出される。
【０１３１】
フィルター４００をリセットする必要がある場合、動力アセンブリ２における掃除モーター１０１は逆回転を行い、フィルター４００を掃除と逆の方向に動かせばよい。
【０１３２】
本明細書の説明において、「実施例」、「例」などの用語を参照した説明は該実施例又は例と組み合わせて説明されている具体的な特徴、構造、材料又は特性が本出願の少なくとも１つの実施例又は例に含まれることを意味する。本明細書において、上記用語の例示的な表現は、必ずしも同じ実施例又は例を意味するわけではない。さらに、説明された特定の特徴、構造、材料又は特性が、任意の１つ又は複数の実施例又は例においては適切な組み合わせで一体化されていてもよい。
【０１３３】
なお、以上では本出願の実施例を例示して説明したが、当業者であれば、本出願の原理及び趣旨から逸脱することなく、これらの実施例に対して変更、修正、置換や変形を行うことができ、本出願の範囲が特許請求の範囲及びその均等物により定義されることを理解できる。
【符号の説明】
【０１３４】
１０００  空気処理装置、１００  フィルター掃除モジュール、１  掃除ボックス、１０１  掃除キャビティ、１０４  軸穴、１０５  入水口、１０６  出水口、１０７  支持壁、１０８  接続口、１０９  接続溝、２  動力アセンブリ、２０１  掃除モーター、２０３  ローラー駆動ギア、３  フィルター掃除体アセンブリ、３０１  端部穴、３０２  内軸切欠部、３０３  回転防止溝、３０４  嵌合軸、３０５  回転防止ブロック、３１０  フィルター掃除体内軸、３１１  内軸下部カバー、３１２  内軸上部カバー、３２０  フィルター掃除体、４  フィルター掃除体駆動ギア、４１０  フィルター掃除体接続軸、４１１  弾性クリップ、４１２  第２扁平部分、５  除塵部材、５１  櫛歯、６  ローラーアセンブリ、６１  フィルター駆動ギア、６１１  挿着部、６１２  挿入口、６１３  伝動軸、６１４  第１扁平部分、６２  ローラー外筒、６２１  可撓性ローラーエッジ、６３  ローラー内軸、６３１  内側突起、６４  回転制限構造、６４１  回転制限溝、６４２  回転制限突起、６５  フィルター軌道、８  ごみ濾過部材、８１  格子板、８２  頂部案内板、８３  係止部、８４  通水穴、８５  当接位置決めブロック、８６  接続板、９１  給水管、９２  水ポンプアセンブリ、９３  出水制御弁、９４  排水管、２００  ケーシング、２１０  吸込口、２２０  ベース、２２１  背板、２２２  底板、３００  水受け皿、４００  フィルター、４０１  筋状凸部。
【図１】
2021511473.tif 000003
【図２】
2021511473.tif 000004
【図３】
2021511473.tif 000005
【図４】
2021511473.tif 000006
【図５】
2021511473.tif 000007
【図６】
2021511473.tif 000008
【図７】
2021511473.tif 000009
【図８】
2021511473.tif 000010
【図９】
2021511473.tif 000011
【図１０】
2021511473.tif 000012
【図１１】
2021511473.tif 000013
【図１２】
2021511473.tif 000014
【図１３】
2021511473.tif 000015
【国際調査報告】
2021511473.tif 000016
2021511473.tif 000017
2021511473.tif 000018
2021511473.tif 000019
2021511473.tif 000020
2021511473.tif 000021